(57)【要約】【課題】高い除臭効果と防臭効果を発現するとともに、繊維の変色が起こりにくい液体洗濯助剤組成物を提供する。【解決手段】（ａ）アニオン界面活性剤および／またはノニオン界面活性剤と、（ｂ）水溶性銀塩と、（ｃ）塩基性アミノ酸とが水に配合された液体洗濯助剤組成物により解決できる。（ｃ）成分としてはヒスチジン、リジン、アルギニンが好適に使用できる。【選択図】なし【特許請求の範囲】
【請求項１】
（ａ）アニオン界面活性剤および／またはノニオン界面活性剤と、（ｂ）水溶性銀塩と、（ｃ）塩基性アミノ酸とが水に配合されたことを特徴とする液体洗濯助剤組成物。
【発明の詳細な説明】
【技術分野】
【０００１】
本発明は、繊維製品を洗濯用洗剤で洗濯する際に補助的に使用される液体洗濯助剤組成物に関する。
【背景技術】
【０００２】
近年、清潔志向の高まりから、繊維製品を洗濯した際の効果として、汚れ落ちのみならず、除臭、さらには防臭までも求められるようになってきている。
除臭とは、すでに生じている臭いを落としたり分解したりすることで、防臭とは、臭いの発生を抑制することである。よって、除臭効果のある物質を繊維製品の洗濯に使用する場合には、洗濯用洗剤とともに洗浄時に使用することが好ましく、一方、防臭効果のある物質を使用する場合には、洗浄時ではなくすすぎ時に使用して、この物質が繊維製品に良好に吸着するようにすることが好ましいとされている。
このような事情から、除臭効果のある製品としては、洗浄時に洗濯用洗剤とともに使用される漂白剤に対して除臭効果のある物質を添加したものがあり、一方、防臭効果のある製品としては、すすぎ時に使用される柔軟剤に対して防臭効果のある物質を添加したものがある。
【０００３】
ところが、これらの製品を使用すると除臭効果や防臭効果がそれぞれ得られるものの、これらの効果を同時に得たい場合には、洗濯の度に、洗濯用洗剤の他に上述の漂白剤と柔軟剤とをそれぞれ計量し、洗濯物に加えなくてはならなず、非常に手間がかかるという問題があった。また、特に漂白効果や柔軟効果を求めていない場合でも、除臭効果や防臭効果を得るために上述の漂白剤や柔軟剤を使用することになり、不経済でもあった。
【０００４】
このような問題は、すすぎ時ではなく洗浄時に洗濯用洗剤とともに使用しても、繊維製品に良好に吸着し、防臭効果を発現できるような物質があれば、解決できると考えられる。ところが、防臭効果のある物質として従来使用されてきたカチオン性物質は、繊維製品に吸着しやすいものの、洗濯用洗剤に含まれるアニオン界面活剤とアニオン−カチオンコンプレックスを形成してしまうという問題があった。アニオン−カチオンコンプレックスが形成されると、カチオン性物質の繊維への吸着が阻害されて防臭効果が得られなくなるだけでなく、洗浄力も低下してしまうおそれがあった。
【０００５】
そこで、このようなおそれのないものとして、抗菌性のある銀や銀塩などの銀化合物を使用して、防臭効果を得ようとする方法が検討されてきている。
例えば、特許文献１には、繊維製品に抗菌性を付与するために、銀塩を含有する組成物を洗浄時に使用する方法が開示されている。
ところが、このように単に銀塩を含有しただけの組成物を綿繊維等の繊維製品に直に塗布すると、塗布部に高濃度に銀イオンが吸着し、その結果、洗濯後の天日干し時における紫外線照射により、吸着した銀イオンが変色し、繊維製品も変色してしまうという不具合が生じてしまう。
【０００６】
一方、例えば特許文献２には、銀クロロ錯塩を用いた洗剤および洗濯助剤が開示されている。これによれば、銀イオンが錯塩を形成しているために、上述のような繊維製品の変色の可能性は低減すると考えられる。
ところが、錯塩を液体組成物中に溶解させるためには、高濃度の塩化物イオンを必要とするとされている（例えば、特許文献３参照）。高濃度の塩が組成物中に存在すると、塩そのものが低温で析出してしまうという問題の他に、界面活性剤が組成物中で分離してしまうなどの問題が生じる可能性が高い。よって、錯塩を使用することにより、十分な除臭効果と防臭効果とを有し、かつ、均一な組成の液体組成物を実際に提供することは難しいと考えられる。
【０００７】
また、その他には、例えば特許文献４には、銀微粒子を用いた洗浄・抗菌性付与剤が開示されている。このような銀微粒子を使用した場合には、上述のような繊維製品の変色の可能性は非常に低いと考えられる。
しかしながら、洗濯液に含まれる銀微粒子が洗濯時に繊維に吸着する割合は低い。また、この場合、銀微粒子から抗菌に寄与する銀イオンが溶出することで抗菌性が発現すると考えられるが、繊維に吸着した銀微粒子から溶出する銀イオン量は極めて少なく、このようなものでは、十分な抗菌性が得られ難いと考えられる。
【０００８】
その他にも、例えば銀イオン等を含有する洗浄剤組成物が、特許文献５〜９などに開示されている。しかしながら、これらに開示の技術であっても、繊維製品の変色を抑制することは困難であると考えられる。
【特許文献１】特開平０９−３４９２号公報
【特許文献２】特開２００１−２３８９３７号公報
【特許文献３】特開平１０−１８２３２６号公報
【特許文献４】特開２０００−１７８５９５号公報
【特許文献５】特開２００１−１７２６９６号公報
【特許文献６】特開２００１−１７２６９７号公報
【特許文献７】特開２００１−１７２６９８号公報
【特許文献８】特開平０６−２３４９９７号公報
【特許文献９】特開平０９−１８３９９７号公報
【発明の開示】
【発明が解決しようとする課題】
【０００９】
本発明は上記事情に鑑みてなされたもので、高い除臭効果と防臭効果を発現するとともに、繊維の変色が起こりにくい液体洗濯助剤組成物を提供することを課題とする。
【課題を解決するための手段】
【００１０】
本発明の液体洗濯助剤組成物は、（ａ）アニオン界面活性剤および／またはノニオン界面活性剤と、（ｂ）水溶性銀塩と、（ｃ）塩基性アミノ酸とが水に配合されたことを特徴とする。
【発明の効果】
【００１１】
本発明によれば、高い除臭効果と防臭効果を発揮するとともに、繊維の変色が起こりにくい液体洗濯助剤組成物を提供できる。
【発明を実施するための最良の形態】
【００１２】
以下、本発明について詳細に説明する。
本発明の液体洗濯助剤組成物（以下、単に組成物という場合もある。）は、（ａ）アニオン界面活性剤および／またはノニオン界面活性剤と、（ｂ）水溶性銀塩と、（ｃ）塩基性アミノ酸とが水に配合されたものである。
【００１３】
本発明の液体洗濯助剤組成物に含有される（ａ）アニオン界面活性剤および／またはノニオン界面活性剤（以下、（ａ）成分という場合もある。）とは、水溶液中において、水と油性物質との界面張力を低下させる働きを有するアニオン性および／またはノニオン性の物質である。このような（ａ）成分を配合することによって、洗浄時に洗濯用洗剤だけでは落ちきらない例えば体臭などの臭気成分の他、このような臭気成分を含む垢汚を除去し、除臭効果を発揮させることができる。また、除去される垢汚には、洗濯後の繊維製品中に残存して臭気発生源となる皮脂なども含まれる。よって、垢汚を除去してこのような臭気発生源を低減することにより、防臭効果、すなわち、繊維製品が生乾きである場合や繊維製品が高湿な環境に放置された場合などに生じる不快臭、繊維製品の着用時に生じる体臭などの発生を抑制する効果が発現する。
【００１４】
（ａ）成分に使用されるアニオン界面活性剤としては、直鎖アルキルベンゼンスルホン酸塩、α−オレフィンスルホン酸塩、α−スルホ脂肪酸エステル塩、アルキル硫酸塩、ポリオキシエチレンアルキルエーテル硫酸塩、高級脂肪酸塩、ポリオキシエチレンアルキルエーテルカルボン酸塩等が挙げられる。
直鎖アルキルベンゼンスルホン酸塩としてはアルキル基の炭素数が１０〜１４のものが好ましく、α−オレフィンスルホン酸塩としてはアルケニル基の炭素数が１０〜１８のものが好ましく、α−スルホ脂肪酸エステル塩としてはアルキル基の炭素数が１０〜１８のものが好ましい。
アルキル硫酸塩としてはアルキル基の炭素数が１０〜１８のものが好ましく、ポリオキシエチレンアルキルエーテル硫酸塩としてはアルキル基の炭素数が１０〜１８で、エチレンオキサイドの平均付加モル数が１〜５のものが好ましく、高級脂肪酸塩としてはアルキル基の炭素数が１２〜１８のものが好ましく、ポリオキシエチレンアルキルエーテルカルボン酸塩としてはアルキル基の炭素数が１０〜１８で、エチレンオキサイドの平均付加モル数が１〜５のものが好ましい。
【００１５】
これらの中でも、直鎖アルキルベンゼンスルホン酸塩、α−オレフィンスルホン酸塩およびポリオキシエチレンアルキルエーテル硫酸塩は、除臭効果、防臭効果が良好であり、また、得られる組成物の外観の均一性や透明性が優れる点で好ましい。
これらの塩の対イオンとしては、ナトリウム、カリウム等のアルカリ金属、マグネシウム等のアルカリ土類金属、モノエタノールアミン、ジエタノールアミン、トリエタノールアミン等のアルカノールアミン等が挙げられるが、上述の均一性や透明性の点から、ナトリウム、カリウムおよびアルカノールアミンが好ましい。
市販されているこのような直鎖アルキルベンゼンスルホン酸塩としては、「ライポンＬＳ−２５０」（ライオン（株）製）、「テイカパワーＬＮ２０６５」（テイカ（株）製）等、α−オレフィンスルホン酸塩としては、「リポランＰＢ−８００」（ライオン（株）製）等、ポリオキシエチレンアルキルエーテル硫酸塩としては、「テイカポールＮＥ１２７０」「テイカポールＮＥ１２３０」（いずれもテイカ（株）製）等が挙げられる。
また、アニオン界面活性剤は、酸として組成物中に配合した後、組成物にアルカリ金属塩等のアルカリ剤を添加し、中和して用いることも可能である。
また、これらアニオン界面活性剤は、１種単独で使用しても２種以上を併用してもよい。
【００１６】
（ａ）成分に使用されるノニオン界面活性剤としては、ポリオキシアルキレンアルキルエーテル、メトキシポリオキシアルキレンアルカノエート、脂肪酸ジエタノールアミド、脂肪酸モノエタノールアミド、アルキルポリグリコシド、アルキルポリグリセリルエーテル、アルキルポリグリセリルエステル等が挙げられる。
ポリオキシアルキレンアルキルエーテルとしてはアルキル基の炭素数が１０〜１８で、エチレンオキサイドの平均付加モル数が４〜５０で、プロピレンオキサイドの平均付加モル数が０〜５のものが好ましく、メトキシポリオキシアルキレンアルカノエートとしてはアルキル基の炭素数が１０〜１８で、エチレンオキサイドの平均付加モル数が４〜５０で、プロピレンオキサイドの平均付加モル数が０〜５のものが好ましい。
脂肪酸ジエタノールアミドとしてはアルキル基の炭素数が１０〜１８、脂肪酸モノエタノールアミドとしてはアルキル基の炭素数が１０〜１８のものが好ましい。
アルキルポリグリコシドとしてはアルキル基の炭素数が８〜１８で、グルコースユニットの平均付加モル数が１〜１０のものが好ましく、アルキルポリグリセリルエーテルとしてはアルキル基の炭素数が８〜１８で、グリセリンユニットの平均付加モル数が１〜１０のものが好ましく、アルキルポリグリセリルエステルとしてはアルキル基の炭素数が８〜１８で、グリセリンユニットの平均付加モル数が１〜１０のものが好ましい。
【００１７】
これらの中でも、ポリオキシアルキレンアルキルエーテルは、除臭効果、防臭効果が良好であり、また、得られる組成物の外観の均一性や透明性が優れる点で好ましく、特にポリオキシエチレンアルキルエーテルが好ましい。
ポリオキシエチレンアルキルエーテルとしては、アルキル基の炭素数が１２〜１８で、エチレンオキサイドの平均付加モル数が５〜３０のものが好ましく、アルキル基の炭素数が１２〜１６で、エチレンオキサイドの平均付加モル数が７〜２５のものがより好ましく、アルキル基の炭素数が１２〜１４で、エチレンオキサイドの平均付加モル数が１０〜２０のものが特に好ましい。
市販されているこのようなポリオキシエチレンアルキルエーテルとしては、「レオックスＣＣ−９０」「レオコールＳＣ−９０」「レオコールＳＣ−１２０」「レオコールＴＤ−１５０」（ライオン（株）製）、「ＥＭＡＬＥＸ７０５」「ＥＭＡＬＥＸ７１５」「ＥＭＡＬＥＸ７２０」（日本エマルジョン（株）製）等が挙げられる。
また、これらノニオン界面活性剤は、１種単独で使用しても２種以上を併用してもよい。
【００１８】
組成物中の（ａ）成分の含有量は、下限が好ましくは１質量％、より好ましくは５質量％、さらに好ましくは１０質量％であり、上限は好ましくは５０質量％、より好ましくは４０質量％、さらに好ましくは３０質量％である。（ａ）成分の含有量がこの範囲内にあると、得られる組成物は、除臭効果、防臭効果がより良好となり、外観の均一性や透明性にも一層優れる。
【００１９】
（ａ）成分としては、アニオン界面活性剤またはノニオン界面活性剤のいずれかを単独で使用してもよいし、これらを併用してもよいが、除臭効果および防臭効果が特に良好で、外観の均一性や透明性により優れた組成物が得られやすい点から、ノニオン界面活性剤を用いることが好ましい。
【００２０】
本発明の組成物に含有される（ｂ）水溶性銀塩（以下、（ｂ）成分という場合もある。）とは、銀イオンとアニオン性イオンとからなる塩であり、水中で解離することで銀イオンを放出可能な物質である。このような（ｂ）成分を含む組成物を繊維製品の洗浄時に使用すると、（ｂ）成分由来の銀イオン、またはこの銀イオンと後述の（ｃ）塩基性アミノ酸との錯塩が繊維に吸着して、洗濯後の繊維製品に抗菌性を付与する。その結果、繊維製品に残留した皮脂などの汚垢の微生物による分解が抑制され、例えば、繊維製品が生乾きである場合や繊維製品が高湿な環境に放置された場合などに生じる不快臭、繊維製品の着用時に生じる体臭などの発生を抑制できるという高い防臭効果が発現する。
【００２１】
（ｂ）水溶性銀塩の水溶性の程度としては、得られる組成物が外観上均一で、透明性をも維持していれば特に限定されないが、２０℃の精製水中における溶解度が、０．００１質量％以上であることが好ましく、０．０１質量％以上のものがより好ましく、０．１質量％以上のものが特に好ましい。
（ｂ）水溶性銀としては、具体的には、硫酸銀、硝酸銀、酢酸銀、フッ化銀、過塩素酸銀等が挙げられるが、安全性および臭気の点で硫酸銀が好ましい。
【００２２】
組成物中の（ｂ）成分の含有量は、下限が好ましくは０．００１質量％、より好ましくは０．０１質量％、さらに好ましくは０．０５質量％であり、上限は好ましくは１質量％、より好ましくは０．５質量％、さらに好ましくは０．２質量％である。（ｂ）成分の含有量がこの範囲内にあると、得られる組成物は、特に防臭効果が良好となり、外観の均一性や透明性にも優れ、安全性も良好であるため好ましい。
（ｂ）成分としては、水溶性銀塩を１種単独で使用しても２種以上併用してもよい。
【００２３】
本発明の組成物に含有される（ｃ）塩基性アミノ酸（以下、（ｃ）成分という場合もある。）とは、生体構成物質であるα−アミノカルボン酸のうち、等電点が７．５以上の物質である。このような（ｃ）成分は、組成物中において（ｂ）成分の水溶性銀塩から放出される銀イオンと水溶性の錯体を形成する。その結果、組成物の外観の均一性や透明性が維持されるとともに、この組成物をたとえ繊維製品に直に塗布して洗濯した後、洗濯物を天日干ししたとしても、紫外線照射による繊維変色が起こりにくいという優れた繊維変色抑制効果が発現する。なお、（ｃ）成分は、好ましくは等電点が７．５以上、１１以下である。
【００２４】
（ｃ）塩基性アミノ酸としては、ヒスチジン、リジン、アルギニンが挙げられるが、これらの中でも、繊維変色抑制効果の点から、ヒスチジン、アルギニンが好ましく、特にヒスチジンが好ましい。
なお、アミノ酸の立体構造は、特に限定されるものではなく、どのような光学異性体も（ｃ）成分として使用できる。
【００２５】
組成物中の（ｃ）成分の含有量は、下限が好ましくは０．００５質量％、より好ましくは０．０５質量％、さらに好ましくは０．２５質量％であり、上限は好ましくは１０質量％、より好ましくは５質量％、さらに好ましくは２質量％である。（ｃ）成分の含有量がこの範囲内にあると、得られる組成物は特に優れた繊維変色抑制効果を発現するとともに、組成物の外観の均一性や透明性を良好に維持でき、（ｃ）成分の使用量も適度で経済面からも好ましい。
（ｃ）成分としては、塩基性アミノ酸を１種単独で使用しても２種以上併用してもよい。
【００２６】
また、組成物中における（ｂ）成分と（ｃ）成分との比率は、（ｃ）塩基性アミノ酸のモル数を［ＡＡ］とし、（ｂ）水溶性銀塩中に含まれる銀イオンのモル数を［Ａｇ］とした際に、（ｃ）成分としてヒスチジンが単独で使用される場合には、［ＡＡ］／［Ａｇ］が３以上であることが好ましく、より好ましくは５以上である。また、（ｃ）成分としてアルギニンが単独で使用される場合には、［ＡＡ］／［Ａｇ］が好ましくは１０以上、より好ましくは２０以上である。また、（ｃ）成分としてリジンが単独で使用される場合には、［ＡＡ］／［Ａｇ］が好ましくは１５以上、より好ましくは３０以上である。
（ｂ）成分と（ｃ）成分との比率がこのような範囲内にあると、組成物の繊維変色抑制効果と、外観の均一性や透明性がより優れ、好ましい。
【００２７】
以上説明した（ａ）成分と、（ｂ）成分と、（ｃ）成分とを水に配合することにより、外観の均一性や透明性に優れた液体洗浄剤組成物が得られる。水としては、水道水、精製水、蒸留水等が使用できるが、組成物の外観の均一性や透明性、経済面から精製水が好ましい。
【００２８】
組成物中の水の量は、特に限定はされないが、下限が好ましくは５０質量％、より好ましくは６０質量％、さらに好ましくは７０質量％であり、上限は好ましくは９９質量％、より好ましくは９５質量％、更に好ましくは９０質量％である。水の配合量がこの範囲内にあると、組成物の外観の均一性や透明性、使用性に優れるので好ましい。
【００２９】
本発明の組成物には、本発明の効果を損なわない範囲で、他の任意成分を配合することができる。
任意成分としては、例えば、アルキルトリメチルアンモニウム塩、ジアルキルジメチルアンモニウム塩、アルキルベンジルジメチルアンモニウム塩、アルキルピリジニウム塩等のカチオン界面活性剤；アルキルカルボキシベタイン、アルキルスルホベタイン、アルキルジメチルアミンオキシド等の両性界面活性剤；クエン酸塩、ヒドロキシエタンジホスホン酸塩、エチレンジアミンテトラ酢酸塩、ポリアクリル酸塩等のキレート剤；エタノール、イソプロパノール等の低級アルコール；エチレングリコール、プロピレングリコール、ポリエチレングリコール、ポリプロピレングリコール、ポリアルキレングリコールブチルエーテル、ポリアルキレングリコールフェニルエーテル等のグリコール系溶剤；パラトルエンスルホン酸塩、安息香酸塩等の芳香族系溶剤；過酸化水素、次亜塩素酸ナトリウム等の酸化剤；アルカノイルオキシベンゼンスルホン酸塩、アルカノイルオキシベンゼンカルボン酸塩等の漂白活性化剤；ポリビニルピロリドン、カルボキシビニルポリマー等の増粘剤；カルボキシメチルセルロース、ポリアルキレンテレフタル酸／ポリアルキレングリコール共重合体等の再汚染防止剤；プロテアーゼ、リパーゼ、アミラーゼ、セルラーゼ等の酵素；例えば特開２００２−１４６３９９号広報に記載されているような香料成分、溶剤および安定化剤等を含有する香料組成物；硫酸、水酸化ナトリウム等のｐＨ調整剤等である。
【００３０】
これら任意成分の配合量は、特に限定はされないが、上限が好ましくは１０質量％、より好ましくは５質量％、さらに好ましくは２質量％である。これら任意成分は、１種単独で使用しても２種以上を併用してもよい。
【００３１】
また、本発明の組成物は、外観の均一性が保たれていればそのｐＨは特に限定されるものではないが、弱酸性、中性および弱アルカリ性が安全性の点で好ましい。
【００３２】
本発明の組成物は、プラスチック製容器等に収納されて保管されたり、輸送されたりする。
プラスチック製容器としては、ボトル容器や詰替え用のスタンディングパウチ等が挙げられる。ボトル容器としては、例えば、特開２００１−３１００号公報に記載されたものが挙げられ、材質としては、ポリエチレン、ポリプロピレンおよびポリエチレンテレフタレート等の樹脂が挙げられる。また、これら樹脂に紫外線吸収剤等が練り込まれ、紫外線の透過が極力抑えられたものが、組成物の保存安定性の点から好ましい。スタンディングパウチとしては、例えば、特開２０００−７２１８１号公報に記載のものが挙げられ、材質としては、厚さが１００〜２５０μｍ程度の線状低密度ポリエチレンおよび１５〜３０μｍ程度の延伸ナイロン等が挙げられ、特に、層間にアルミ蒸着層等が挟み込まれ、紫外線の透過が極力抑えられたものが、組成物の保存安定性の点から好ましい。
【００３３】
本発明の組成物は、洗濯を行う際、洗濯用洗剤を使用した洗浄時に補助的に使用されるものであり、その使用方法としては、特に限定はされないが、例えば、洗濯に使用する水に、洗濯用洗剤とともにこの組成物を添加して使用する方法、水にこの組成物を入れて希釈水を調製し、この希釈水中に繊維製品を予め浸け置きした後、洗濯用洗剤で通常どおり洗浄する方法、繊維製品の汚れが付着した部分等にこの組成物を直に塗布し、その後この繊維製品を通常どおり洗濯する方法等が挙げられる。
これら例示した使用方法のうち、前者２つの方法のように、組成物を水に入れて使用する場合には、その水、すなわち洗浄液中の組成物の濃度は、特に限定はされないが、下限が好ましくは０．０１質量％、より好ましくは０．０５質量％、さらに好ましくは０．１０質量であり、上限は好ましくは１質量％、より好ましくは０．５質量％、さらに好ましくは０．２質量％である。組成物の洗浄液中における濃度がこの範囲内にあると、除臭効果、防臭効果が優れ、経済面からも良好である。
【００３４】
本発明の組成物は、上述したように、高い除臭効果と防臭効果を発揮できるとともに、たとえ繊維製品に直に塗布して使用した場合でも繊維変色が起こりにくい優れた繊維変色抑制効果を有するものであって、例えば、ワイシャツ、ブラウス、Ｔシャツ、ポロシャツ、ジーパン、バスタオル、ハンカチ、テーブルクロス、ランチョンマット、カーテン、ソファーカバーなどの幅広い繊維製品に対して使用できる。また、これら繊維製品の繊維素材にも特に制限はなく、例えば、綿、ウール、麻等の天然繊維、ポリエステル、ナイロン、アクリル等の合成繊維等からなる繊維製品のいずれにも使用できる。
【実施例】
【００３５】
次に、実施例および比較例により本発明を具体的に説明するが、本発明は下記実施例等に限定されるものではない。
［実施例１］
表１に示す組成の液体洗濯助剤組成物を調製し、以下の方法で評価した。なお、各成分の含有量は、純分としての含有量を示し、単位は何れも質量％である。また、各成分と精製水の量との合計が１００％となるようになっている。
【００３６】
＜外観均一性評価方法＞
実施例１で得られた組成物を５０ｍＬ容量のスクリューバイアル瓶に密封し、２５℃で１日間放置した後の外観を以下の基準で目視評価した。結果を表１に示す。
○：均一透明
△：均一微濁
×：沈殿または相分離
【００３７】
＜除臭性評価方法＞
靴下（綿１００％、片方３０ｇ）を成人男性３名にそれぞれ着用させ、履き古した運動靴を履いた状態で、２５℃の室内で８時間事務仕事をしてもらった。そして、その後の靴下をサンプルとして評価に用いた。
着用者それぞれにおいて、靴下の片方については、ブランク用サンプルとして洗濯用洗剤（トップ、ライオン（株）製）のみを用いて洗浄液濃度０．０６７質量％で洗浄し、もう片方については、評価用サンプルとして、洗濯用洗剤に加え、実施例１で調製した組成物をその濃度が０．１３３質量％になるように添加したもので洗浄した。
洗浄条件としては、Ｔｅｒｇ−Ｏ−Ｔｏｍｅｔｅｒ（ＵＳ ＴＥＳＴＩＮＧ社製）を用いて、１２０ｒｐｍ、水道水（２０℃、３°ＤＨ）９００ｍＬの条件で、１０分間洗浄後、含水率１００質量％まで脱水し、次いで、３分間すすいだ後、含水率１００質量％まで脱水を２回繰り返した。最後の脱水後、評価布を２５℃、４５％ＲＨの室内で乾燥させた。
乾燥後の評価用サンプルの臭気強度を、ブランク用サンプルとの比較で評価した。臭気強度は、着用者３名分の各サンプルについて、それぞれ１０人のパネラーが官能評価した。各評価用サンプルについて、パネラー１０人がそれぞれ下記５段階で評価し、１０人の平均値を算出し、実施例１の組成物の除臭性評価結果として表１に示した。
５点：ブランクと同等
４点：ブランクより僅かに弱い
３点：ブランクよりやや弱い
２点：ブランクより明らかに弱い
１点：ほぼ無臭
【００３８】
＜防臭性評価方法＞
タオル（綿１００％、８０ｇ）を成人男子３名に１枚ずつ渡し、１時間毎に顔から首周りをタオル全面で均等になるように擦らせ、８時間使用してもらった。こうしてタオル全面にほぼ均一に汚垢を付着させたものを８等分に裁断し、サンプルとして評価に用いた。
この使用者３人分のサンプル（タオル１／８枚×３枚）について、上記除臭性評価方法と同様の洗浄条件で、洗濯用洗剤（トップ、ライオン（株）製）のみを用いて洗浄液濃度０．０６７質量％で洗浄し、ブランク用サンプルとした。また、洗濯用洗剤に加え、実施例１で調製した組成物をその濃度が０．１３３質量％になるように添加したものを用いて、使用者３人分のサンプル（タオル１／８枚×３枚）を洗浄し、評価用サンプルとした。
最後の脱水後、ブランク用サンプルと評価用サンプルの合計６枚をそれぞれジッパー付ビニール袋に密封し、２５℃で３日間放置した。
放置後の評価用サンプルの臭気強度を、上記除臭性評価方法と同様の方法、基準で、ブランク用サンプルと比較した。各評価用サンプルについて、パネラー１０人の平均値を算出し、実施例１の組成物の防臭性評価結果として表１に示した。
【００３９】
＜繊維変色抑制効果＞
タオル（綿１００％、８０ｇ）１枚を８等分に裁断したものをサンプルとして用いた。
そのうち１枚のサンプルに実施例１の組成物を０．４ｇ／枚塗布し、上記除臭性評価方法と同様の洗浄条件で、洗濯用洗剤（トップ、ライオン（株）製）を用いて洗浄液濃度０．０６７質量％で洗浄した。最後の脱水後、評価布を、晴天の屋外において、日光照射量が積算で０．１ＭＪ／ｍ２になるまで天日干しした。天日干し後のサンプルについて、組成物を塗布した部分の変色の程度を、１０人のパネラーに以下の基準で官能評価させ、その平均値を実施例１の組成物の繊維変色抑制効果として表１に記載した。
５点：非常に濃い
４点：濃い
３点：やや薄い
２点：かなり薄い 
１点：変色なし
【００４０】
［実施例２〜８、比較例１〜７］
表１および２に示す各組成の液体洗濯助剤組成物を調製し、実施例１と同様の方法でそれぞれ評価した。
【００４１】
表中、略号で示した各（ａ）〜（ｃ）成分は以下の通りである。また、以下に示す炭素数Ｃは、いずれもアルキル基の炭素数である。
ａ−１：直鎖ドデシルベンゼンスルホン酸ナトリウム（テイカパワーＬＮ２０６５、テイカ（株）製）
ａ−２：α−オレフィンスルホン酸ナトリウム（Ｃ１４〜１８、リポランＰＢ−８００、ライオン（株）製）
ａ−３：ポリオキシエチレンアルキルエーテル硫酸ナトリウム（Ｃ１２〜１４、ＥＯ＝３、テイカポールＮＥ１２３０、テイカ（株）製）
ａ−４：ポリオキシエチレンドデシルエーテル（ＥＯ＝５、ＥＭＡＬＥＸ７０５、日本エマルジョン（株）製）
ａ−５：ポリオキシエチレンアルキルエーテル（Ｃ１２〜１４、ＥＯ＝９、レオコールＳＣ−９０、ライオン（株）製）
ａ−６：ポリオキシエチレンドデシルエーテル（ＥＯ＝１５、ＥＭＡＬＥＸ７１５、日本エマルジョン（株）製）
ｂ−１：硫酸銀（試薬特級、関東化学（株）製）
ｂ−２：硝酸銀（試薬特級、関東化学（株）製）
ｂ−３：硫酸銅（試薬特級、関東化学（株）製、比較例）
ｃ−１：Ｌ−ヒスチジン（試薬特級、関東化学（株）製、等電点：７．６）
ｃ−２：Ｌ−アルギニン（試薬特級、関東化学（株）製、等電点：１０．８）
ｃ−３：Ｌ−リジン（試薬特級、東京化成工業（株）製、等電点：９．７）
ｃ−４：Ｌ−メチオニン（試薬特級、関東化学（株）製、等電点：５．７、比較例）
ｃ−５：Ｌ−グルタミン（試薬特級、関東化学（株）製、等電点：５．７、比較例）
香料：特開２００２−１４６３９９号公報記載の表１１〜１８記載の香料組成物Ａ
【００４２】
【表１】
2007176985.tif 000002
【００４３】
【表２】
2007176985.tif 000003
【００４４】
表から明らかなように、各実施例の組成物は、除臭効果、防臭効果に優れ、繊維変色抑制効果を備えているとともに、外観の均一性も良好であった。